(57)【要約】      （修正有）【課題】第１，第２部材の下部同士を結合するヒンジ機構部において不正行為が行われることの防止と、そのヒンジ機構部に関して第１，第２部材を結合する作業の容易化とを実現しつつ、それらの実現に伴う製造コストの増加を抑えることができる遊技機の提供。【解決手段】機枠２（第１部材）と本体枠（第２部材）の下部同士を結合するヒンジ機構部は、本体枠に設けられヒンジピン２２を有する回動側ヒンジ部材２１と、機枠２に設けられピン孔２４を有する固定側ヒンジ部材２３とを備え、不正行為を防止するための不正防止構造部は、固定側ヒンジ部材２３に取り付けられる規制部材３１と、本体枠に設けられ上方向の移動を規制部材３１に規制される係合部とを備え、規制部材３１には、ヒンジピン２２のピン孔２４への配置の際にピン孔２４の位置にヒンジピン２２を誘導する誘導溝３８が設けられる。【選択図】図８
2014023692.tif 000002
【特許請求の範囲】
【請求項１】
第１部材と、遊技機の前面を形成する部材が設けられる第２部材と、前記第１部材と前記第２部材の上部同士を結合する上側ヒンジ機構部と、前記１部材と前記第２部材の下部同士を結合し、前記上側ヒンジ機構部と共同で前記第１部材に対して前記第２部材を開き戸状に回動自在に支持する下側ヒンジ機構部と、前記下側ヒンジ機構部からの不正行為を防止するための不正防止構造部とを備える遊技機において、
前記下側ヒンジ機構部は、前記第２部材に設けられ、下方向に突出したヒンジピンを有する回動側ヒンジ部材と、前記第１部材に設けられ、前記ヒンジピンが挿入されるピン孔を有する固定側ヒンジ部材とを備え、
前記不正防止構造部は、前記固定側ヒンジ部材に取り付けられる規制部材と、前記第２部材に設けられ、前記規制部材に対して上方向の移動を規制されるよう係合する係合部とを備え、
前記規制部材には、前記ヒンジピンが前記ピン孔に配置される際に前記ピン孔の位置に前記ヒンジピンを誘導する誘導溝が設けられた
ことを特徴とする遊技機。
【請求項２】
請求項１に記載の遊技機において、
前記規制部材は、前記固定側ヒンジ部材の上面に取り付けられる取付代と、前記回動側ヒンジ部材の後方において起立し前方向に折れ曲がった鉤部とが一体に形成された部材から成り、
前記係合部は、前記第２部材に後方向に突出して設けられた突出部から成り、前記鉤部に下方から引っ掛るよう位置し、
前記誘導溝は、前記取付代に設けられた
ことを特徴とする遊技機。
【発明の詳細な説明】
【技術分野】
【０００１】
本発明は、遊技場に設置される第１部材と、この第１部材に開き戸状に回動自在に結合され、遊技機の前面を形成する部材等が設けられる第２部材とを備える遊技機に関する。
【背景技術】
【０００２】
遊技機であるパチンコ機は、一般に、遊技場に設置される第１枠体（第１部材）と、パチンコ機の前面を形成する部材、遊技盤、回路基板等が設けられる第２枠体（第２部材）と、第１枠体と第２枠体の左上部同士を結合する上側ヒンジ機構部と、第１枠体と第２枠体の左下部同士を結合する下側ヒンジ機構部とを備える。上側ヒンジ機構部と下側ヒンジ機構部とによって、第１枠体に対して第２枠体は前方向に開き戸状に回動自在に結合されている。遊技盤の入替、不正行為の点検、島設備の点検等の際に、パチンコ機は、第１枠体に対して第２枠体が前方向に回動された状態にされる。
【０００３】
下側ヒンジ機構部に対しては、バール等の不正具を差し込んで無理矢理に第２枠体を第１枠体に対して持ち上げることで第１枠体と第２枠体との間に隙間を設け、その隙間から第１枠体の内側および第２枠体の内側にピアノ線等の手段でアクセスする不正行為が行われることが懸念される。
【０００４】
従来、その不正行為を防止する技術が開発されている。その技術としては、例えば特許文献１に開示されたものがある。その特許文献１に開示されたパチンコ機において、下側のヒンジ構造（下側ヒンジ機構部）は、筐体枠（第１部材）の左側面下部近傍に設けられた下段プレート（固定側ヒンジ部材）と、機枠（第２部材）の左側面下部近傍に設けられた下側プレート（回動側ヒンジ部材）とを備える。下段プレートには、機枠を筐体枠に揺動軸支するための下側軸が固定されていて、この下側軸が、下側プレートに形成された下側孔に挿入されている。そして、下側のヒンジ構造に不正具を差し込む行為を防止するために、下段プレートの周囲部分には壁部が立設されている。つまり、筐体枠と機枠とが閉鎖され施錠されている状態において、壁部が下側プレートと下段プレートとの間に差し込むことの障害となることにより、下側プレートと下段プレートとの間への不正具の差込みを防止する。
【０００５】
また、ヒンジ機構部を備えるパチンコ機に関しては、第１部材と第２部材とを結合する作業を容易にするための技術も開発されている。その技術としては、例えば特許文献２に開示されたものがある。その特許文献２に開示された蝶番（上側ヒンジ機構部）は、前面枠（第２部材）の左上部に取り付けられ、支持軸（ヒンジピン）を有する支持金具（回動側ヒンジ部材）と、外枠（第１部材）の左上部に取り付けられ、蝶番軸心位置に軸穴（ピン孔）を有する保持金具（固定側ヒンジ部材）とを備え、その保持金具には左方向から同軸穴に通ずる軸導入開口部（誘導溝）が設けられている。つまり、特許文献２に開示された蝶番（上側ヒンジ機構部）は、保持金具の軸穴（ピン孔）の位置に支持金具の支持軸（ヒンジピン）が配置される際、軸導入開口部（誘導溝）により支持軸を軸穴の方向に誘導することで、軸穴への支持軸の配置を容易にしている。
【先行技術文献】
【特許文献】
【０００６】
【特許文献１】特開２００９−１７２１３９号公報
【特許文献２】特開２００６−１８７５７６号公報
【発明の概要】
【発明が解決しようとする課題】
【０００７】
ところで、特許文献２に開示された軸導入開口部を、すなわち、ピン孔の位置にヒンジピンが配置される際にヒンジピンをピン孔に誘導する誘導溝を、下側ヒンジ機構部に適用することで、第１，第２部材の下部同士を結合する作業を容易化することができると考えられる。しかし、下側ヒンジ機構部において固定側ヒンジ部材には、第２部材の重さと、この第２部材に設けられる部材、遊技盤、回路基板等の重さとを支持できる強度が必要であるため、下側ヒンジ機構部における固定側ヒンジ部材に誘導溝を直接設ける場合には、その固定側ヒンジ部材の強度を確保するための補強が必要になり、その補強を行うとパチンコ機の製造コストが嵩むことになる。
【０００８】
さらに、パチンコ機に対して、下側ヒンジ機構部からの不正行為を防止するための対策を施した場合にも、パチンコ機の製造コストが嵩むことになる。
【０００９】
本発明は前述の実情を考慮してなされたものであり、その目的は、第１，第２部材の下部同士を結合するヒンジ機構部において不正行為が行われることの防止と、そのヒンジ機構部に関して第１，第２部材を結合する作業の容易化とを実現しつつ、それらの実現に伴う製造コストの増加を抑えることができる遊技機を提供することにある。
【課題を解決するための手段】
【００１０】
前述の目的を達成するために本発明の遊技機は次のように構成されている。
【００１１】
本発明の遊技機は、第１部材と、遊技機の前面を形成する部材が設けられる第２部材と、前記第１部材と前記第２部材の上部同士を結合する上側ヒンジ機構部と、前記１部材と前記第２部材の下部同士を結合し、前記上側ヒンジ機構部と共同で前記第１部材に対して前記第２部材を開き戸状に回動自在に支持する下側ヒンジ機構部と、前記下側ヒンジ機構部からの不正行為を防止するための不正防止構造部とを備える遊技機において、前記下側ヒンジ機構部は、前記第２部材に設けられ、下方向に突出したヒンジピンを有する回動側ヒンジ部材と、前記第１部材に設けられ、前記ヒンジピンが挿入されるピン孔を有する固定側ヒンジ部材とを備え、前記不正防止構造部は、前記固定側ヒンジ部材に取り付けられる規制部材と、前記第２部材に設けられ、前記規制部材に対して上方向の移動を規制されるよう係合する係合部とを備え、前記規制部材には、前記ヒンジピンが前記ピン孔に配置される際に前記ピン孔の位置に前記ヒンジピンを誘導する誘導溝が設けられたことを特徴とする。
【００１２】
このように構成された本発明の遊技機において、不正防止構造部は、固定側ヒンジ部材に取り付けられる規制部材により、第２部材に設けられた係合部の上方向の移動を規制することで、第１部材に対する第２部材の上方向の移動を規制する。したがって、不正行為を行おうとする者が、下側ヒンジ機構部の回動側ヒンジ部材と固定側ヒンジ部材との間にバール等の不正具を差し込もうとしても、第１部材に対する第２部材の上方向の移動が規制されるため、すなわち、第２部材を第１部材に対して無理矢理に持ち上げることが阻止されているため、その不正具を差し込むことができない。これにより、本発明の遊技機は、第１，第２部材の下部同士を結合する下側ヒンジ機構部において不正行為が行われるのを防止することができる。
【００１３】
また、本発明の遊技機において、規制部材には誘導溝が設けられているので、第１，第２部材の下部同士を結合する下側ヒンジ機構部に関して、第１，第２部材を結合する作業を容易化することができる。
【００１４】
さらに、本発明の遊技機において、誘導溝は規制部材に設けられるものであるので、固定側ヒンジ部材に誘導溝を直接設ける場合のように固定側ヒンジ部材を補強する必要はない。そして、誘導溝が設けられる部材と、不正行為を防止するための部材とが共通の規制部材であるので、第１，第２部材の下部同士を結合する下側ヒンジ機構部に関して、不正行為の防止と、第１，第２部材を結合する作業の容易化とを実現することに伴う製造コストの増加を抑えることができる。
【００１５】
本発明の遊技機は、前述の本発明の遊技機において、前記規制部材は、前記固定側ヒンジ部材の上面に取り付けられる取付代と、前記回動側ヒンジ部材の後方において起立し前方向に折れ曲がった鉤部とが一体に形成された部材から成り、前記係合部は、前記第２部材に後方向に突出して設けられた突出部から成り、前記鉤部に下方から引っ掛るよう位置し、前記誘導溝は、前記取付代に設けられたことを特徴とするであってもよい。
【００１６】
このように構成された本発明の遊技機においては、誘導溝が規制部材の取付代に設けられることで、誘導溝が設けられる部材と、不正行為を防止するための部材とを共通のものにすることができる。また、不正防止構造部は、規制部材の鉤部に下方から突出部（係合部）が引っ掛ることで、第１部材に対する第２部材の上方向の移動を規制することができる。
【発明の効果】
【００１７】
本発明の遊技機は、第１，第２部材の下部同士を結合するヒンジ機構部（下側ヒンジ機構部）において不正行為が行われることの防止と、そのヒンジ機構部に関して第１，第２部材を結合する作業の容易化とを実現しつつ、それらの実現に伴う製造コストの増加を抑えることができる。
【図面の簡単な説明】
【００１８】
【図１】本発明の一実施形態に係る遊技機であるパチンコ機の外観斜視図である。
【図２】図１に示したパチンコ機の本体枠（第２部材）を機枠（第１部材）に対して前方向に回動した状態を示す斜視図である。
【図３】図１に示したパチンコ機の扉ユニットが開放された状態を示す斜視図である。
【図４】図１に示したパチンコ機の背面図である。
【図５】図１に示した上側ヒンジ機構部の本体枠側（第２部材側）の構成の拡大斜視図である。
【図６】図１に示した上側ヒンジ機構部の機枠側（第１部材側）の構成の拡大斜視図である。
【図７】図１に示した下側ヒンジ機構部の本体枠側（第２部材側）の構成の拡大斜視図である。
【図８】図１に示した下側ヒンジ機構部の機枠側に設けられたヒンジ孔の位置に、図７に示したヒンジピンを配置しようとしている様子を示す拡大斜視図である。
【図９】図８に示したヒンジ孔を有する固定側ヒンジ部材の単体の斜視図である。
【図１０】図８に示した規制部材の単体の斜視図である。
【図１１】下側ヒンジ機構部および不正防止構造部の拡大縦断面である。
【発明を実施するための形態】
【００１９】
本発明の一実施形態に係るパチンコ機（遊技機）を説明する。なお、以下の説明において、パチンコ機の各部の左右方向は、そのパチンコ機に対面する遊技者にとっての左右方向である。
【００２０】
図１に示すように、本実施形態に係るパチンコ機１は、遊技場の島設備に設置される縦長矩形状の枠体から成る機枠２（第１部材）と、この機枠２の前面側に配置される本体枠３（第２部材）と、機枠２と本体枠３の左上部同士を結合する上側ヒンジ機構部１０（詳細は後述）と、機枠２と本体枠３の左下部同士を結合する下側ヒンジ機構部２０（詳細は後述）とを備える。図２に示すように、上側ヒンジ機構部１０と下側ヒンジ機構部２０は共同で、本体枠３を機枠２に対して前方向に開き戸状に回動自在に支持する。
【００２１】
図１，図３に示すように、本体枠３の前面側には、扉ユニット４０が、前方向に開き戸状に回動自在に設けられている。本体枠３に対して扉ユニット４０が閉じ、かつ機枠２に対して本体枠３が閉じた状態において、本体枠３に対する扉ユニット４０の開く方向の回動および機枠２に対する本体枠３の開く方向の回動は、ロック機構部（図示省略）により阻止可能である。それらの回動の阻止は、図１に示すキーシリンダ４７にキーを差し込んで捻ることにより解除可能である。
【００２２】
扉ユニット４０は、パチンコ機１の前面を形成する部材であり、中央に大きなガラス窓４１を有する。また、この扉ユニット４０の前面には、スピーカ４２，４３、遊技球の受け皿４４、遊技の演出に遊技者を係わらせるための演出ボタン４５、遊技球の発射強度を指令するためのハンドル４６等が設けられている。
【００２３】
図３に示すように、本体枠３の前面側には、遊技盤５０、遊技球の発射装置６９、スピーカ７０が配置されて本体枠３に固定されている。
【００２４】
遊技盤５０の盤面には、遊技球が流下する略円形の遊技領域５１が設けられている。この遊技領域５１内には、特別図柄表示装置５２、普通図柄表示装置５３、演出表示装置５４、ステージ５５、第１，第２始動入賞口６１，６２、電動チューリップ６３、一般入賞口６４、大入賞口（図示してない）、アタッカー装置６５、スルーチャッカ６６、アウト口６７、羽根車６８等が設けられている。特別図柄表示装置５２は特別図柄を表示する装置であり、特別図柄が変動した後に停止するという態様で表示されるよう制御される。普通図柄表示装置５３は、普通図柄を表示する装置であり、普通図柄が変動した後に停止するという態様で表示されるよう制御される。演出表示装置５４は、遊技を演出する画像を表示する装置であり、例えば演出図柄が変動した後に停止するという態様で表示されるよう制御される。ステージ５５は、演出表示装置５４の前方で遊技球を一時的に滞留させる構造物である。第１，第２始動入賞口６１，６２は、特別図柄に係る抽選の契機を生じさせるための入賞口である。電動チューリップ６３は、第２始動入賞口６２の入口を拡大する動作が可能な装置であり、普通図柄に係る抽選で当選した場合に所定の態様で開閉するよう制御される。大入賞口は、複数個の遊技球を１度に受け入れることが可能な横長矩形状の入賞口である。アタッカー装置６５は、特別図柄に係る抽選で大当りに当選した場合に、大入賞口を所定のラウンド数だけ開放するよう制御される装置である。スルーチャッカ６６は、普通図柄に係る抽選の契機を生じさせるゲートである。羽根車６８は遊技球の進路を振り分ける回転体である。アウト口６７は、第１，第２始動入賞口６１，６２、一般入賞口６４、大入賞口の何れにも入賞しなかった遊技球を回収するための開口である。
【００２５】
図４に示すように、本体枠３の裏面側には、メイン制御基板８０、サブ制御基板８１、賞球払出装置８２、払出・発射制御基板８３等が設けられている。メイン制御基板８０は、第１，第２始動入賞口６１，６２への遊技球の入賞を契機とした特別図柄に係る抽選、スルーチャッカ６６を遊技球が通過したことを契機とした普通図柄に係る抽選、特別図柄に係る抽選の結果に基づく特別図柄表示装置５２の制御、普通図柄に係る抽選の結果に基づく普通図柄表示装置５３の制御、普通図柄に係る抽選で当選したことに基づく電動チューリップ６３の制御、特別図柄に係る抽選で大当りに当選したことに基づくアタッカー装置６５の制御を行う回路基板であり、カバー部材９０により覆われている。サブ制御基板８１は、特別図柄に係る抽選の結果に基づき演出表示装置５４の制御を行う回路基板であり、カバー部材９１により覆われている。賞球払出装置８２は、受け皿４４に賞球を払い出す装置である。払出・発射制御基板８３は、第１，第２始動入賞口６１，６２に遊技球が入賞した場合、一般入賞口６４に遊技球の入賞した場合、大入賞口に遊技球が入賞した場合に、それらの入賞口のそれぞれに予め対付けられた賞球を賞球払出装置８２に払い出させる回路基板であるとともに、ハンドル４６の操作に基づき発射装置６９を制御する回路基板であり、カバー部材９２により覆われている。
【００２６】
前述の上側ヒンジ機構部１０を、図５，図６を用いて詳細に説明する。
【００２７】
上側ヒンジ機構部１０は、本体枠３（第２部材）の左上部に設けられ、上方向に突出したヒンジピン１２を有する回動側ヒンジ部材１１（図５参照）と、機枠２（第１部材）の左上部に前方向に突出して設けられ、ヒンジピン１２が挿入されるピン受け部１４を有する固定側ヒンジ部材１３（図６参照）とを備える。ピン受け部１４は、前方に向かってＵ字状に凹み、下方および後方に向かって開口した半環状の溝部１５と、この溝部１５の後方に回動可能に設けられた回動体１６（後述）とに囲まれて成る。
【００２８】
また、固定側ヒンジ部材１３には、ヒンジピン１２がピン受け部１４に配置される際、ヒンジピン１２をピン受け部１４に誘導する誘導溝１７を有する。この誘導溝１７は、ピン受け部１４の溝部１５に後方から連通するとともに、下方および右方に向かって開口した溝である。
【００２９】
回動体１６は、ピン受け部１４の溝部１５の後方において誘導溝１７内に突出した初期位置（図６に示す位置）から誘導溝１７外へ回動可能に、すなわち初期位置から矢印Ｐ方向に回動可能に固定側ヒンジ部材１３に設けられたものであり、リターンスプリング（図示省略）によって初期位置の方向に常時付勢されている。
【００３０】
ヒンジピン１２がピン受け部１４に挿入される際、はじめにヒンジピン１２は誘導溝１７の右側の開口から挿入され、その後、誘導溝１７に沿って溝部１５の方向に、すなわち矢印Ｇ１方向に移動させられていく。この間、回動体１６は、ヒンジピン１２によってリターンスプリングの付勢力に抗して誘導溝１７外に押し退けられることで、ヒンジピン１２が溝部１５内に配置されることを許容する。そして、ヒンジピン１２が溝部１５に配置されると、回動体１６はリターンスプリングの付勢力により初期位置に押し戻されて、初期位置に保持された状態となる。この状態において回動体１６はヒンジピン１２の誘導溝１７への移動を阻止し、これによってヒンジピン１２はピン受け部１４内に軸周りに回転可能に保持された状態となる。つまり、誘導溝１７と回動体１６とによってピン受け部１４へのヒンジピン１２の配置の容易化が図られている。
【００３１】
前述の下側ヒンジ機構部２０を、図７〜図１１を用いて詳細に説明する。
【００３２】
下側ヒンジ機構部２０は、本体枠３（第２部材）の左下部に設けられ、下方向に突出したヒンジピン２２を有する回動側ヒンジ部材２１（図７参照）と、機枠２（第１部材）の左下部に設けられ、ヒンジピン２２が挿入されるピン孔２４を有する固定側ヒンジ部材２３（図８，図１１参照）とを備える。
【００３３】
図８，図９に示すように、固定側ヒンジ部材２３は、ピン孔２４を有する板状の本体部２５と、この本体部２５の左側部から下方向に延びて設けられ、機枠２の左側部にネジ止めされる板状の取付代２６とを備える。図８において２７Ａ〜２７Ｄのそれぞれは、取付代２６を機枠２の左側部にネジ止めする４つのネジ（図示省略）のそれぞれが挿通される貫通孔であり、図９において２８Ａ〜２８Ｄのぞれぞれは、それら４つのネジのそれぞれが螺合するネジ孔である。また、図９において２８Ｅ，２８Ｆは取付代２６に突起して設けられた位置決め用凸部である。これら位置決め用凸部２８Ｅ，２８Ｆのそれぞれは、図８に示すように、機枠２に設けられた位置決め孔２７Ｅ，２７Ｆのそれぞれに挿入されることで、機枠２に対して固定側ヒンジ部材２３を位置決めする。
【００３４】
図１１に示すように、パチンコ機１は、下側ヒンジ機構部２０からの不正行為を防止するための不正防止構造部３０を備える。この不正防止構造部３０は、図８に示すように固定側ヒンジ部材２３に取り付けられる規制部材３１（図１０参照）と、図１１に示すように本体枠３に設けられ、規制部材３１に係合する係合部３４とを備える。
【００３５】
図８，図１０に示すように、規制部材３１は、固定側ヒンジ部材２３の上面の２箇所にネジ止めにより固定される板状の取付代３２と、この取付代３２の一端側に位置する鉤部３３とを備える。これら取付代３２と鉤部３３は一体に形成されている。鉤部３３は、回動側ヒンジ部材２１の後方において起立し前方向に折れ曲がった姿勢で配置される。係合部３４は、図１１に示すように、本体枠３の左下部から後方向に突出した突出部から成り、鉤部３３に下方から引っ掛るよう位置する。つまり、不正防止構造部３０は、規制部材３１の鉤部３３に対して本体枠３の係合部３４が下方から引っ掛ることで、機枠２に対する本体枠３の上方向の移動が規制するものである。
【００３６】
図１０において３６Ａ，３６Ｂはそれぞれ、規制部材３１の取付代３２を固定側ヒンジ部材２３にネジ止めする２つのネジ３５Ａ，３５Ｂのそれぞれが挿通される貫通孔であり、図９において３７Ａ，３７Ｂは、それら２つのネジ３５Ａ，３５Ｂのそれぞれが螺合するネジ孔である。
【００３７】
規制部材３１の取付代３２の鉤部３３とは反対側の端部には、ヒンジピン２２が固定側ヒンジ部材２３のピン孔２４に配置される際にピン孔２４の位置にヒンジピン２２を誘導する誘導溝３８が設けられている。この誘導溝３８は、上面視形状がＬ字状に形成されていて、一端側が規制部材３１の取付代３２の右縁部で開口し、他端がピン孔２４を左右および前の３方向から囲んで位置する。つまり、ヒンジピン２２が固定側ヒンジ部材２３のピン孔２４に配置される際に、はじめにヒンジピン２２は誘導溝３８の一端側の開口に右方から挿入され、その後、誘導溝３８に沿ってピン孔２４の方向に、すなわち矢印Ｇ２方向に移動させられていき、誘導溝３８の他端の位置でピン孔２４に落下して挿入される。つまり、誘導溝３８によってピン孔２４へのヒンジピン２２の配置の容易化が図られている。
【００３８】
本実施形態に係るパチンコ機１によれば次の効果を得られる。
【００３９】
本実施形態に係るパチンコ機１において、不正防止構造部３０は、下側ヒンジ機構部２０の固定側ヒンジ部材２３に取り付けられる規制部材３１の鉤部３３に対して、本体枠３に設けられた係合部３４が下方から引っ掛ることで、機枠２に対する本体枠３の上方向の移動を規制する。したがって、機枠２の内側および本体枠３の内側にピアノ線等の手段でアクセスする不正行為を行おうとする者が、下側ヒンジ機構部２０の回動側ヒンジ部材２１と固定側ヒンジ部材２３との間にバール等の不正具を差し込もうとしても、機枠２に対する本体枠３の上方向の移動が規制されるため、すなわち、本体枠３を機枠２に対して無理矢理に持ち上げることが阻止されているため、その不正具を差し込むことができない。これにより、本実施形態に係るパチンコ機１は、機枠２と本体枠３の左下部同士を結合する下側ヒンジ機構部２０において不正行為が行われるのを防止することができる。
【００４０】
本実施形態に係るパチンコ機１において、規制部材３１には誘導溝３８が設けられているので、機枠２と本体枠３の左下部同士を結合する下側ヒンジ機構部２０に関して、機枠２と本体枠３とを結合する作業を容易化することができる。
【００４１】
本実施形態に係るパチンコ機１において、誘導溝３８は規制部材３１に設けられるものであるので、固定側ヒンジ部材２３に誘導溝３８を直接設ける場合のように固定側ヒンジ部材２３を補強する必要はない。そして、誘導溝３８が設けられる部材と、不正行為を防止するための部材とが共通の規制部材３１であるので、機枠２と本体枠３の左下部同士を結合する下側ヒンジ機構部２０に関して、不正行為の防止と、機枠２と本体枠３とを結合する作業の容易化とを実現することに伴う製造コストの増加を抑えることができる。
【００４２】
なお、前述の実施形態はパチンコ機に適用されたものであったが、本発明の遊技機の適用対象はパチンコ機に限定されるものではなく、回胴遊技機であってもよい。この場合、回胴遊技機の筐体が、本発明における第１部材に相当し、筐体の前面に取り付けられる扉が、本発明の第２部材に相当する。
【符号の説明】
【００４３】
１  パチンコ機（遊技機）
２  機枠
３  本体枠
１０  上側ヒンジ機構部
２０  下側ヒンジ機構部
２１  回動側ヒンジ部材
２２  ヒンジピン
２３  固定側ヒンジ部材
２４  ピン孔
３０  不正防止構造部
３１  規制部材
３２  取付代
３３  鉤部
３４  係合部
３８  誘導溝
【図１】
2014023692.tif 000003
【図２】
2014023692.tif 000004
【図３】
2014023692.tif 000005
【図４】
2014023692.tif 000006
【図５】
2014023692.tif 000007
【図６】
2014023692.tif 000008
【図７】
2014023692.tif 000009
【図８】
2014023692.tif 000010
【図９】
2014023692.tif 000011
【図１０】
2014023692.tif 000012
【図１１】
2014023692.tif 000013